(57)【要約】【課題】コットンマスクが無くても皮膚用塗布液が塗布できること。【解決手段】ローラー部本体５０およびローラー部本体５０の外周面５４に埋め込まれた液体保持部材６０を備えたローラー部２０と、ローラー部２０を回転可能に支持する支持部３０と、を少なくとも備え、液体保持部材６０の表面６２の一部分６２Ｅは、ローラー部２０の外周表面２２Ｔ側に露出している皮膚用ローラー。【選択図】図２
2014200482.tif 000002
【特許請求の範囲】
【請求項１】
筒状または柱状のローラー部本体および前記ローラー部本体の外周面に埋め込まれた液体保持部材を備えたローラー部と、
前記ローラー部を回転可能に支持する支持部と、を少なくとも備え、
前記液体保持部材の表面の一部分は、前記ローラー部の外周面側に露出していることを特徴とする皮膚用ローラー。
【請求項２】
請求項１または２に記載の皮膚用ローラーにおいて、
前記液体保持部材を構成する材料が、繊維状材料および多孔質材料から選択される少なくとも一方の材料を含むことを特徴とする皮膚用ローラー。
【請求項３】
請求項１〜３のいずれか１つに記載の皮膚用ローラーにおいて、
前記ローラー部が、前記支持部に対して脱着可能に設けられていることを特徴とする皮膚用ローラー。
【発明の詳細な説明】
【技術分野】
【０００１】
本発明は、皮膚用ローラーに関するものである。
【背景技術】
【０００２】
皮膚に対して化粧水を塗布する場合、化粧水を浸み込ませたフェイスパック等のコットンシートを皮膚に貼り付ける。また、ローラー部を皮膚に接触させた状態で転がすことにより、皮膚に刺激を与えて、美容効果を得る美容器具としては、ローラー部の外周面にゲルマニウム含有鉱石等の金属・鉱石類を配置したものが知られている（特許文献１，２等）。一方、このような美容器具を用いて、化粧水を皮膚に塗布する場合、たとえば、ローラー部に、化粧水を含浸させたコットンマスクを被せて使用する（非特許文献１）。    
【先行技術文献】
【特許文献】
【０００３】
【特許文献１】特開２０１１−２５１号公報
【特許文献２】特開２００４−１７３９３３号公報
【０００４】
【非特許文献１】プラチナゲルマローラープロ公式販売サイト（http://corocoro.ya-man.com/）
【発明の概要】
【発明が解決しようとする課題】
【０００５】
しかしながら、化粧水を使う場合、非特許文献１に記載の方法では、使用毎に、化粧水を含浸させたコットンマスクをローラーに脱着する必要があり煩雑である。これに加えて、ローラーとは別に、化粧水を含浸させた専用のコットンマスクを別途準備する必要がある点でも煩雑である。
【０００６】
本発明は上記事情に鑑みてなされたものであり、皮膚用塗布液の利用に際してコットンマスクが不要である皮膚用ローラーを提供することを課題とする。
【課題を解決するための手段】
【０００７】
上記課題は以下の本発明により達成される。すなわち、本発明の皮膚用ローラーは、筒状または柱状のローラー部本体およびローラー部本体の外周面に埋め込まれた液体保持部材を備えたローラー部と、ローラー部を回転可能に支持する支持部と、を少なくとも備え、液体保持部材の表面の一部分は、ローラー部の外周面側に露出していることを特徴とする。
【０００８】
本発明の皮膚用ローラーの一実施形態は、液体保持部材を構成する材料が、繊維状材料および多孔質材料から選択される少なくとも一方の材料を含むことが好ましい。
【０００９】
本発明の皮膚用ローラーの他の実施形態は、ローラー部が、支持部に対して脱着可能に設けられていることが好ましい。
【発明の効果】
【００１０】
以上に説明したように、本発明によれば、皮膚用塗布液の利用に際してコットンマスクが不要である皮膚用ローラーを提供することができる。
【図面の簡単な説明】
【００１１】
【図１】本実施形態の皮膚用ローラーの一例を示す平面外観図である。
【図２】図１に示す皮膚用ローラーの断面構造の一例を示す模式断面図である。
【図３】図２に示すローラー部の拡大断面図である。
【図４】本実施形態の皮膚用ローラーの外観の他の例を示す平面外観図である。
【図５】図４に示す皮膚用ローラーの断面構造の一例を示す模式断面図である。
【図６】本実施形態の皮膚用ローラーを構成するローラー部の他の例を示す模式断面図である。
【図７】本実施形態の皮膚用ローラーを構成するローラー部の作製に用いられる金型の一例を示す外観斜視図である。
【図８】繊維状部材からなる液体保持部材とローラー部本体との接合界面近傍の断面構造の一例を示す光学顕微鏡写真である。
【図９】本実施形態の皮膚用ローラーを構成するローラー部の他の例を示す模式断面図である。
【発明を実施するための形態】
【００１２】
図１〜図３に示す本実施形態の皮膚用ローラー１０Ａ（１０）は、円筒状のローラー部２０Ａ（２０）と、ローラー部２０Ａを回転可能に支持する棒状の支持部３０Ａ（３０）と、支持部３０Ａのローラー部２０Ａが設けられた側と反対側の部分（把持部取付部３２Ｅ１）に取り付けられた把持部４０と、を備えている。
【００１３】
ローラー部２０Ａは、中心軸に沿って設けられた貫通孔５２を有する円筒状のローラー部本体５０と、このローラー部本体５０の外周面５４に埋め込まれた紐状の液体保持部材６０Ａ（６０）とを備えている。そして、貫通孔５２には、支持部３０Ａの把持部取付部３２Ｅ１と反対側の部分が回転軸３２Ｅ２として挿入されている。なお、回転軸３２Ｅ２と貫通孔５２との間には、たとえば、ボールベアリング（図中、不図示）が配置される。また、貫通孔５２の開口部分には、回転軸３２Ｅ２からローラー部２０が抜け落ちるのを防止するために、必要に応じて止め具などが設けられていてもよい。
【００１４】
なお、ローラー部本体５０の外周面５４に埋め込まれた液体保持部材６０Ａの表面（外周面６２）の一部分（露出領域６２Ｅ）は、ローラー部２０Ａの外周面２０Ｔ側に露出している。さらに、この液体保持部材６０の表面（外周面６２）の残りの部分（接触領域６２Ｃ）はローラー部本体５０と直接接触している。また、図３に示すように露出領域６２Ｅは、ローラー部２０の外周面２０Ｔと略面一を成している。
【００１５】
図４〜図５に示す本実施形態の皮膚用ローラー１０Ｂ（１０）は、円筒状のローラー部２０Ｂ（２０）と、ローラー部２０Ｂを回転可能に支持するＹ字状の支持部３０Ｂ（３０）と、を備えている。
【００１６】
ローラー部２０Ｂは、中心軸に沿って設けられた貫通孔５２を有する円筒状のローラー部本体５０と、このローラー部本体５０の外周面５４の略全面を覆うように埋め込まれたシート状の液体保持部材６０Ｂ（６０）とを備えている。ローラー部２０Ｂは、その両端が支持部３０Ｂによって挟持されている。そして、Ｙ字状を成す支持部３０Ｂの両先端部３４の内側（ローラー部２０Ｂが配置された側）には、貫通孔５２の直径よりも若干小さい直径を有する凸部３６が設けられており、この凸部３６が貫通孔５２内に挿入されている。ここで、支持部３０Ｂおよび／またはローラー部本体５０が弾性変形容易な樹脂材料（たとえばシリコーンゴム等）から構成される場合は、支持部３０Ｂおよび／またはローラー部本体５０を変形させることで、支持部３０Ｂに対してローラー部２０Ｂを脱着可能とすることができる。
【００１７】
なお、図５に示す円筒状のローラー部２０Ｂの代わりに図６に示す円柱状のローラー部２０Ｃ（２０）を用いてもよい。このローラー部２０Ｃは、貫通孔５２の代わりにローラー部本体５０の両端面に凸部３６に勘合する凹部５６が設けられている点を除けば、ローラー部２０Ｂと同一の構造を有するものである。
【００１８】
ここで、ローラー部本体５０の外周面５４に埋め込まれた液体保持部材６０Ｂの表面（外周面６２）の一部分（露出領域６２Ｅ）は、ローラー部２０Ｂの外周面２０Ｔ側に露出している。すなわち、露出領域６２Ｅは、外周面２０Ｔと面一を成している。さらに、この液体保持部材６０Ｂの表面（外周面６２）の残りの部分（接触領域６２Ｃ）はローラー部本体５０と直接接触している。
【００１９】
そして、本実施形態の皮膚用ローラー１０を使用する場合、ローラー部２０を化粧水等の皮膚用塗布液を満たした瓶の中に浸漬させたり、刷毛等で皮膚用塗布液をローラー部２０の外周面２０Ｔ（特に、露出領域６２Ｅ）に塗り付けたりすることによって、液体保持部材６０に皮膚用塗布液を含浸させる。続いて、ローラー部２０を皮膚に当接させて回転させることにより、皮膚用塗布液を、皮膚に塗り付ける。それゆえ、皮膚用塗布液の利用に際してコットンマスクを用いる必要がない。
【００２０】
また、皮膚用塗布液は、液体保持部材６０の露出領域６２Ｅのみを介してしか外部へと流出できない。このため、露出領域６２Ｅ以外の外周面６２（すなわち、接触領域６２Ｃ）を介して、皮膚用塗布液が蒸散したり、漏れ流れ出たりすることがない。これに加えて、この露出領域６２Ｅは、皮膚用ローラー１０の使用に際しては実質的に皮膚と接触し続ける。このため、本実施形態の皮膚用ローラー１０は、皮膚用塗布液を含浸させたコットンマスクを用いる従来の方法と比べて皮膚用塗布液の利用効率が高い。
【００２１】
さらに、液体保持部材６０は、接着剤を用いずにローラー部本体５０に固定される。このため、接着剤成分が皮膚用塗布液中に溶け出すことで、皮膚用塗布液の変性・劣化を招く虞もない。また、ローラー部本体５０に対する液体保持部材６０の埋め込み度合は、液体保持部材６０の外周面６２の一部分が大気に露出している限りは特に限定されない。
【００２２】
なお、液体保持部材６０の形状は、図１〜図３に示す例では紐状であり、図４〜図６に示す例ではシート状であるが、液体保持部材６０の形状はローラー部本体５０に対して埋め込み可能な形状であればこれに限定されるものではなく、たとえば、メッシュ状等であってもよい。
【００２３】
次に、本実施形態の皮膚用ローラー１０で用いられるローラー部２０の作製方法について説明する。このローラー部２０は、少なくとも射出成形を利用して作製される。以下に図５に示す断面構造を有するローラー部２０Ｂを例としてその製造手順を説明する。まず、金型として図７に示すように金属ブロックに孔を設けた金型を用いる。ここで、図７に示す金型１００は、直方体状の金属ブロック１１０からなり、この金属ブロック１１０の頂面１１０Ｔの略中央部には、この頂面１１０Ｔと直交する方向に伸びる円孔１２０が設けられている。そして、射出成形に際しては、まず、円筒状に丸めたシート状の液体保持部材６０Ｂを、液体保持部材６０Ｂの外周面が円孔１２０の内周面とが略密着するように配置して型締めを行う。続いて、液体保持部材６０Ｂの内周側から金型１００内に加熱溶融した樹脂材料を射出する。これにより図４に例示したような断面構造を有するローラー部２０Ｂを得ることができる。
【００２４】
なお、シート状の液体保持部材６０Ｂの代わりに、紐状の液体保持部材６０Ａを用いて上記と同様の手順でローラー部２０Ａを作製することもできる。また、円孔１２０内の内壁面の形状や、樹脂材料を射出するノズルヘッドの形状・位置等を適宜選択することで、図６に例示するようなローラー部２０Ｃを作製することもできる。
【００２５】
以上に説明したようにローラー部２０は射出成型により作製されるため、液体保持部材６０の露出領域６２Ｅは、ローラー部２０の外周面２０Ｔと略面一を成すように形成される。また、射出成形に際しては、ローラー部本体５０を構成する樹脂材料が、ローラー部本体５０と液体保持部材６０との接合界面近傍において液体保持部材６０を構成する繊維状材料および／または多孔質材料の空隙部分に浸透する。このため、液体保持部材６０は、接着剤を用いなくてもローラー部本体５０に対して極めて強固に固定される。
【００２６】
図８は、図４および図５に示すローラー部２０Ｂの断面構造の一例を示す光学顕微鏡写真であり、具体的には、繊維状部材から構成されるシート状の液体保持部材６０Ｂと、樹脂材料から構成されるローラー部本体５０との接合界面近傍の断面構造について示す断面写真である。図８から明らかなように、液体保持部材６０Ｂとローラー部本体５０との接合界面近傍では、２本の点線Ｌ１−Ｌ２間で囲まれた領域として示されるように、樹脂材料が液体保持部材６０Ｂ側に浸透していることが判る。
【００２７】
ここで、射出成形条件は特に限定されず、使用する材料や、ローラー部２０の形状・サイズ・構造等に応じて適宜選択できるが、たとえば、温度：２００℃〜２８０℃、時間：２０秒〜６０秒とすることができる。なお、射出成形条件や、使用する金型の形状、液体保持部材６０の形状・サイズ等を適宜選択することにより、ローラー部本体５０に対する液体保持部材６０の埋め込み度合や、液体保持部材６０の外周面６２のうち、露出領域６２Ｅの露出面積・露出位置を容易に制御することができる。このため、皮膚用塗布液を皮膚に塗布する際に、単位時間当たりの皮膚用塗布液の供給量が過剰になるのを防ぐと同時に、供給量を所定の範囲に正確に制御することも容易である。
【００２８】
なお、図１〜図６に示す例ではローラー部本体５０は、単層構造を有しているが、たとえば、外周側が樹脂材料から構成され、内周側が樹脂材料または金属等の無機材料から構成された２層構造であってもよい。この場合、ローラー部本体５０の少なくとも外周側の層が、射出成形により液体保持部材６０と共に一体的に作製される。図９は、ローラー部本体５０が２層構造からなるローラー部２０Ｄ（２０）の一例を示す模式断面図である。図９に示すローラー部２０Ｄでは、ローラー部本体５０は樹脂材料からなる外周層５８Ａと、この外周層５８Ａの内周側に設けられた内周層５８Ｂとから構成されているが、この点を除けば、その断面構造は図２に示すローラー部２０Ａと同様である。
【００２９】
次に、ローラー部本体５０を構成する各部材についてより詳細に説明する。まず、ローラー部本体５０を構成する材料としては射出成形に適した公知の樹脂材料が適宜利用できる。なお、図９に示すようにローラー部本体５０が２層構造など、多層構造から構成される場合には、少なくとも最外層が樹脂材料から構成されていればよい。このような樹脂材料としては、たとえば、ポリ塩化ビニル樹脂、ポリスチレン樹脂、ＡＢＳ樹脂、ポリカーボネート樹脂、ポリエチレン樹脂、ポリプロピレン樹脂、フッ素樹脂、シリコーン樹脂等を挙げることができる。また、使用する樹脂材料としては、液体保持部材６０に含浸させる皮膚用塗布液に対して難溶性または不溶性の材料が選択される。
【００３０】
液体保持部材６０を構成する材料としては、繊維状材料および多孔質材料から選択される少なくとも一方の材料を含む材料が用いられる。このような材料としては、具体的には、パルプ、綿、羊毛、麻、絹等の天然繊維、ポリプロピレン、ポリエチレン、ポリアミド、ポリエチレンテレフタレート、ポリブチレンテレフタレート、ポリサルフォン、レーヨン、メタアクリル酸等の樹脂を含む合成繊維、ガラス繊維、ポリエステル、ポリアミド、テトロン、レーヨン、ポリプロピレン、ポリエチレン、ポリ塩化ビニル等の樹脂を含む樹脂製多孔質材、牛革、豚革、羊革等の皮革（天然有機多孔質材）などを挙げることができる。なお、繊維状材料における繊維径、繊維長さ、材質等や、多孔質材料における空隙率、空隙の直径・長さ、材質等は、使用する皮膚用塗布液の種類や、単位時間当たりに要求される外部への皮膚用塗布液供給量等に応じて適宜選択される。
【００３１】
本実施形態の皮膚用ローラー１０は、１）皮膚の美容（美肌）、２）皮膚の殺菌・消毒、あるいは、３）皮膚もしくは皮膚の直下に存在する筋肉等の生体組織の治療等、皮膚に対して何がしかの皮膚用塗布液を塗布する目的で用いることができる。この場合、皮膚用ローラー１０の使用時に液体保持部材６０に含浸させる皮膚用塗布液としては、皮膚用ローラー１０の使用温度環境（一般的には０度〜４０度前後）において液体状である物質であれば、皮膚用ローラー１０の使用目的に応じて適宜選択できる。このような皮膚用塗布液としては、たとえば、ハイドロキノン等の美白剤やヒルアロン酸等の保湿剤などの化粧用成分を含む化粧水、ヨードチンキやオキシドール、エチルアルコール等の消毒・殺菌成分を含む消毒・殺菌液、ステロイドやサリチル酸メチルなどの薬用塗布成分を含む塗り薬などが挙げられる。
【００３２】
なお、本実施形態の皮膚用ローラー１０は、特に、皮膚の美容を目的とした美容ローラーとして用いることが好ましい。この場合、ユーザーは、化粧水を液体保持部材６０に染み込ませた本実施形態の皮膚用ローラー１０をそのまま用いるだけで、皮膚に対して化粧水を塗布できる。このためユーザーは、化粧水を染み込ませたフェイスパック等を使用する煩わしさから解放されるのは勿論、従来の美容ローラーのように、使用毎に、化粧水を染み込ませたコットンマスクをローラー部に被せて使用する煩わしさからも解放される。
【００３３】
また、ローラー部２０の形状は、ローラー部２０が回転しながら皮膚に対して接触し易い形状であれば特に限定されないが、一般的には円筒状、六角筒状、円柱状あるいは六角柱状であることが好ましい。なお、ローラー部の直径および外径は特に限定されるものではないが、ローラー部２０の直径（六角筒状・柱状等の多角形状の場合は最大外径）は、たとえば、５ｍｍ〜４０ｍｍの範囲内が好ましく、１０ｍｍ〜２０ｍｍ程度の範囲内がより好ましい。また、ローラー部２０の長さは、たとえば、２０ｍｍ〜７０ｍｍの範囲内が好ましく、３０ｍｍ〜６０ｍｍの範囲内がより好ましい。また、ローラー部２０が筒状である場合、その肉厚（外径−内径）は特に限定されるものではないが、たとえば、１ｍｍ〜１５ｍｍの範囲内が好ましく、２ｍｍ〜１０ｍｍの範囲内がより好ましい。
【００３４】
また、図１〜図２に示す例では支持部３０の把持部取付部３２Ｅ１をより太径とすることにより把持部４０を省いてもよい。また、図１〜図２に例示したように、ローラー部２０の外周面２０Ｔの面積うち、露出領域６２Ｅの面積が数％〜７０％前後程度を占めるに過ぎない場合、外周面２０Ｔのうち露出領域６２Ｅ以外の部分には、皮膚に対して各種の効能を有する固形成分を粒子状あるいは粉末状としたものを埋め込んだり、あるいは、固形成分をプレート状あるいは箔状としたものを貼り付けたりしてもよい。このような固形成分としては、たとえば、ミネラル砕石、ブラックシリカ、硅石、ホワイトシリカ、快悠石、トルマリン、二股ラジウム、ゲルマニウム、ホタテの貝殻、麦飯石、医王石、ゼオライト、金等を挙げることができる。
【００３５】
また、ローラー部２０は、支持部３０に対して脱着可能に設けられていてもよい。この場合、繰り返し使用により古くなったローラー部２０のみを交換すれば、残りの部分を廃棄せずに再利用できる。また、図９に例示するように、ローラー部本体５０が２層構造からなる場合には、外周層５８Ａが、内周層５８Ｂに対して脱着可能に設けられていてもよい。
【符号の説明】
【００３６】
１０、１０Ａ、１０Ｂ      ：皮膚用ローラー
２０、２０Ａ、２０Ｂ、２０Ｃ、２０Ｄ      ：ローラー部
２０Ｔ    ：外周面
３０、３０Ａ、３０Ｂ      ：支持部
３２Ｅ１  ：把持部取付部
３２Ｅ２  ：回転軸
３４      ：先端部
３６      ：凸部
４０      ：把持部
５０      ：ローラー部本体
５２      ：貫通孔
５４      ：外周面
５６      ：凹部
５８Ａ    ：外周層
５８Ｂ    ：内周層
６０、６０Ａ、６０Ｂ      ：液体保持部材
６２      ：外周面
６２Ｃ    ：接触領域
６２Ｅ    ：露出領域
１００    ：金型
１１０    ：金属ブロック
１１０Ｔ  ：頂面
１２０    ：円孔
【図１】
2014200482.tif 000003
【図２】
2014200482.tif 000004
【図３】
2014200482.tif 000005
【図４】
2014200482.tif 000006
【図５】
2014200482.tif 000007
【図６】
2014200482.tif 000008
【図７】
2014200482.tif 000009
【図９】
2014200482.tif 000010
【図８】
2014200482.tif 000011